(57)【要約】【課題】従来の付け爪の技術より自己の爪（以下、「自爪」という）に負荷を掛けることが少なく、自爪に装着する為の取り付け方法を提供する。【解決手段】自爪に引っ掛け金具を接着させ、引っ掛け金具に合致する細工を施した付け爪を上から装着し、爪甲（そうこう）の先端部の裏と指の接触部分の爪床（そうしょう）部及び後爪郭（ごそうかく）ないし爪上皮（あまかわ）と爪甲の接触部（自爪の先端部及び底部）に粘着剤を接着させることにより強固に接着する。又、使用する接着剤は融解剤により容易に融解する為、付け爪を簡単に脱着することができる。従来と違い、接着剤等の使用量が大変微量の為、自爪への負荷を大きく軽減できることも自爪の健康への解決手段となる。【選択図】図３
0003136129.tif 000002
【実用新案登録請求の範囲】
【請求項１】
自己の爪（以下、「自爪」という）に引っ掛け金具を接着させ、引っ掛け金具に合致する細工を施した付け爪を上から装着し、爪甲（そうこう）の先端部の裏と指の接触部分の爪床（そうしょう）部及び後爪郭（ごそうかく）ないし爪上皮（あまかわ）と爪甲の接触部（自爪の先端部及び底部）に粘着剤を接着させることを特徴とする付け爪の取り付け方法である。
【考案の詳細な説明】
【技術分野】
【０００１】従来の技術より負荷をかけることなく、付け爪を自己の爪（以下「自爪」という）に簡単に装着する為の付け爪の取り付け方法に関する。
【背景技術】
【０００２】付け爪を自爪に取り付けるには、両面接着シートを用いて取り付ける、又は、粘着剤ないし、強力な瞬間接着剤を用いて取り付ける方法が採用されている。
【考案の開示】
【考案が解決しようとする課題】
【０００３】前項で挙げた２つの両面接着シート又は粘着剤を用いる方法は接着力が弱い為、物に付け爪を引っ掛けてしまった場合や軽い日常的な水仕事で簡単に剥がれてしまうという問題がある。この為、接着剤の強固な後者の瞬間接着剤を用いて取り付ける方法が多く採用されている。しかし、強固な接着力の為に、付け爪の取り外しに対して難点がある。【０００４】即ち、自爪は常に成長するので、付け爪を固定したままでは自爪の成長に弊害を与えることになる。又、爪先が不清潔になるので、一定期間の経過後には付け爪の取り外しが必要になる。【０００５】従来、瞬間接着剤を用いて取り付けた付け爪を取り外す場合は、リムーバー（溶剤、アセトン、ＭＥＫ）を使って剥がすようにしているが、接着力が強固なため、剥がすのに時間がかかり、どうしても剥がす時に引っ張る力を加える為、取り外しに苦痛を伴うと共に、高価な付け爪に破損を生じることがある。【０００６】又、自爪に瞬間接着剤を塗布する為に、付け爪が剥がれても自爪を傷めることになる。
付け爪の取り外した跡は、自爪に瞬間接着剤の跡が残り付け爪を取り外してもすぐには綺麗になりにくい。又、リムーバーによる肌荒れを生じることにもなる。【０００７】先に挙げた従来の技術の付け爪は自爪の皮膚呼吸を完全に遮断する為、１度の使用でも非常に自爪を傷めてしまう。そこでこの発明は、自爪に対し付け爪を強固に接着すること、又、簡単に取り外すことができる。自爪の皮膚呼吸については完全に遮断してしまうことはなく自爪に対する負荷を大きく軽減できるという付け爪の脱着方法を提供することにある。
【課題を解決するための手段】
【０００８】上記のような課題を解決する為に、自爪に２箇所のみ引っ掛け金具を接着し、引っ掛け金具に合致する細工を施し、又自爪への誘導シートを装着した付け爪を引っ掛け、装着する。そして、爪甲（そうこう）の先端部の裏と指の接触部分の爪床（そうしょう）部（以下、「自爪の先端部」）  と及び後爪郭（ごそうかく）ないし爪上皮（あまかわ）と爪甲の接触部（以下、「底部」）に接着剤をもって増強接着させる構成を採用したものである。【０００９】自爪に引っ掛け金具を接着することにより、自爪に対する固着性に優れ、その上自爪の先端部と底部を粘着剤により接着させることで、より強固に付け爪を接着させることができ、通常の生活や軽い水仕事で付け爪が剥がれるようなことはなく、又、上記接着方法により自爪への直接的な接着部分が減ることにより、自爪への損傷、負荷を掛けることがなくなり、自爪への負担も減ることとなる。【００１０】自爪の先端部と底部の粘着剤は融解剤により取り外しが簡単容易になり、付け爪及び自爪の破損、及び損傷も極端に少なくなる。
併せて付け爪は再使用も可能であり、取替えも可能となり経済的且つ環境的である。
【考案の効果】
【００１１】本考案の効果として、従来の人工付け爪に対し比較し容易に脱着が可能であり、又自由に付け外しが可能であるにも関わらず自爪に対する固着性に優れている。そして、付け爪及び自爪に対して破損及び損傷も極端に少なくなる。【００１２】従来の付け爪では、自爪の全体に直接瞬間接着剤が塗布されてしまうという形態であり、そのことによって、自爪は皮膚呼吸を完全に遮断してしまうという状況になっていた。本考案では、自爪の皮膚呼吸を完全に遮断してしまうことはなく、従来の技術の付け爪取り付け方法に比べ自爪に対する負荷を大きく軽減できる。
【実施例】以下、本考案の実施例を図面により説明する。【００１３】図３の自爪５の所定の２箇所に図１の引っ掛け金具１を接着する。【００１４】図３の自爪５に装着された引っ掛け金具１と付け爪の挿入口３となる引っ掛け部４に合致する細工の施された自爪５と付け爪２との合致を誘導するシートで接着された引っ掛け金具１のついた自爪５の先端部より装着する。この時自爪の先端部より装着する理由として衝撃の回避が挙げられ、自爪から付け爪が外れてしまうこと、付け爪の破損を避けられる。【００１５】図３の自爪５の先端部７及び底部７に粘着剤を付け強固に接着する。【００１６】取り外し方法として、自爪５と付け爪２の間の先端部７及び底部７に接着した粘着剤を融解剤により融解し、付け爪２を自爪１から外す。
【産業上の利用可能性】
【００１７】本考案は、簡単脱着人工ネイルに関し、従来の技術より負荷をかけることなく、付け爪を自爪に簡単に装着する為の付け爪の取り付け方法に関する。
【図面の簡単な説明】
【００１８】
【図１】（Ａ）は自爪に装接する装接金具の上を示した平面図である。（Ｂ）は自爪に装接する装接金具の横を示した平面図である。（Ｃ）は自爪に装接する装接金具の斜上を示した立体図である。
【図２】（Ａ）は自爪に装着する付け爪の上を示した平面図である。（Ｂ）自爪に装着する付け爪の横を示した平面図である。
【図３】（Ａ）は自爪に装接する装接金具の上を示した平面図である。（Ｂ）自爪に装接する装接金具の横を示した平面図である。
【符号の説明】
【００１９】１  引っ掛け金具
２  付け爪
３  挿入口
４  引っ掛け部
５  自爪
６  接着部
７  補強剤
【図１】
0003136129.tif 000003
【図２】
0003136129.tif 000004
【図３】
0003136129.tif 000005
【手続補正書】
【提出日】平成19年4月20日(2007.4.20)
【手続補正１】
【補正対象書類名】実用新案登録請求の範囲
【補正対象項目名】全文
【補正方法】変更
【補正の内容】
【実用新案登録請求の範囲】
【請求項１】
略円柱状に形成され一方の端部に指爪に接着される第１接着部を有する支持部材、及び前記ポスト部の他方の端部と接合して形成され前記指爪の付け根部分から前記指爪の先端方向に延在する水平部材を有するポスト部材と、
前記指爪の付け根部分近傍に接着される第２接着部、及び前記指爪の先端部分近傍に接着される第３接着部を有する付け爪本体とを備え、
前記付け爪本体は、前記第２接着部及び前記第３接着部の間に形成され前記ポスト部材を差込可能な差込孔を有すること
を特徴とする人工付け爪。
【手続補正２】
【補正対象書類名】明細書
【補正対象項目名】全文
【補正方法】変更
【補正の内容】
【考案の詳細な説明】
【技術分野】
【０００１】
本考案は、従来の技術と比較して自己の爪（以後「指爪」という）に負荷をかけることなく、人工付け爪を指爪に簡単に装着することが可能な人工付け爪に関する。
【背景技術】
【０００２】
従来、指爪に人工付け爪を装着する場合、ユーザは人工付け爪の指爪側取り付け面に両面接着シートを貼り付けたり又は指爪装着面に粘着剤を塗布した後、指爪に人工付け爪の指爪装着面を接着させることで人工付け爪を装着していた。
【考案の開示】
【考案が解決しようとする課題】
【０００３】
しかしながら、上述した両面接着シート又は粘着剤は瞬間接着剤よりも接着力が弱い為、例えば人工付け爪を物に引っ掛けてしまった場合や軽い日常的な水仕事で簡単に人工付け爪が剥がれてしまうという問題があった。この為、これまでは、両面接着シート又は粘着剤よりも接着力が強力な瞬間接着剤が好まれて用いられる場合が多かった。しかしながら、瞬間接着剤は、その強固な接着力の為に人工付け爪の取り外しに対して難点があった。
【０００４】
具体的には、人工付け爪を指爪に固定したまま放置した場合、人工付け爪は、指爪の成長に伴い指爪の成長方向と同方向にスライド移動する為、外見上好ましくなくなる。したがって、一定期間の経過後には付け爪の取り外しが必要になる。瞬間接着剤を用いて指爪に取り付けた付け爪を取り外す場合、溶剤、アセトン、ＭＥＫ（Ｍｅｔｈｙｌ  Ｅｔｈｙｌ  Ｋｅｔｏｎｅ）等のリムーバーを使って人工付け爪を指爪から剥がすようにしている。しかし、前述したように瞬間接着剤による接着力は強固なため、指爪の爪甲から人工付け爪を剥がすのに時間がかかる。さらに人工付け爪を取り外す際に人工付け爪を引っ張る為、人工付け爪の取り外しに苦痛を伴うと共に、高価な人工付け爪に破損を生じさせる場合がある。
【０００５】
また、人工付け爪の取り外し後には指爪の爪甲に瞬間接着剤の跡が残るため、人工付け爪を取り外してもすぐには綺麗になりにくく、外観上好ましくない。
【０００６】
そこで本考案は、指爪に対し人工付け爪を強固に固定することができ、かつ、簡単に指爪から人工付け爪を取り外すことが可能な人工付け爪を提供することを目的とする。
【課題を解決するための手段】
【０００７】
本課題を解決する為に、本考案にかかる人工付け爪は、略円柱状に形成され一方の端部に指爪に接着される第１接着部を有する支持部材、及びポスト部の他方の端部と接合して形成され指爪の付け根部分から指爪の先端方向に延在する水平部材を有するポスト部材と、指爪の付け根部分近傍に接着される第２接着部、及び指爪の先端部近傍に接着される第３接着部を有する付け爪本体とを備え、付け爪本体は、第２接着部及び第３接着部の間に形成されポスト部材を差込可能な差込孔を有することを特徴とする。
【０００８】
この構成によれば、本考案にかかる人工付け爪は、付け爪本体とポスト部材とを容易に着脱することができる。具体的には、人工付け爪は、第１接着部を介して指爪上に接着されたポスト部材を付け爪本体に形成された差込孔に差し込んで指爪上に装着される。そして指爪の付け根部分から指爪の先端部分方向に延在するポスト部材をスライドさせながら差込孔に差し込むことによって、人工付け爪は、付け爪本体に加わる縦方向の力に対して外れ難くなる。また人工付け爪を指爪に装着する場合には、ユーザは、ポスト部材をポスト部材の先端部分から差込孔に差し込みながらポスト部材の先端を差込孔の最深部まで誘導することで容易に人工付け爪を装着することができる。一方で、人工付け爪を指爪から取り外す場合には、ユーザは、付け爪本体を指爪の先端部方向に移動させながらポスト部材を差込孔から抜き出すことで容易に人工付け爪を取り外すことができる。
【０００９】
さらに上記構成によれば、接着剤は、ポスト部材が有する第１接着部、指爪の付け根部分近傍に接着される付け爪本体の第２接着部、及び指爪の先端部近傍に接着される付け爪本体の第３接着部の三箇所のみに塗布されることとなる。これにより、ユーザの指爪に付着される接着剤を最小限に抑えることができる。
【考案の効果】
【００１０】
このように本考案によれば、ユーザは人口付け爪を指爪上に強固に固定することができ、且つ、容易に着脱することができる。
【００１１】
また本考案によれば、ユーザの指爪に付着される接着剤の量を最小限に抑えることができるため、ユーザに与える影響を最小限に抑えることができる。
【考案を実施するための最良の形態】
【００１２】
以下、本考案の実施例を図面により説明する。図１は、本考案にかかる引っ掛け金具の一例の斜視図である。また、図２（ａ）は、本考案にかかる人工付け爪を指爪に装着した状態を示す下面図である。図２（ｂ）は、本考案にかかる人工付け爪のＡ−Ａ方向における側部断面図である。図２（ｃ）は、本考案にかかる人工付け爪を指爪に装着した状態のＢ−Ｂ方向における正面断面図である。
【００１３】
引っ掛け金具１は、図１に示すように、一方の端部に指爪に接着される接着面１ｃを有する支持部材１ｂ、及びポスト部の他方の端部と接合して形成され指爪の付け根部分から指爪の先端方向に延在する水平部材１ａを有するポスト部材とから構成されており、その形状は略Ｌ字形状となっている。引っ掛け金具１は、接着面１ｃを介して指爪３の略中央に２本並列に接着される。この際、水平部材１ａの方向が指爪３の先端方向と同方向になるように粘着剤で接着される。
【００１４】
図２（ａ）及び（ｂ）に示すように、付け爪本体２は、引っ掛け金具１を差し込むために並列に設けられた２箇所の差込口１'と、指爪３の付け根部分近傍及び先端部近傍に対応する位置に２箇所の接着面４及び４'とを備える。
２箇所の差込口１'は、それぞれ引っ掛け金具１の形状に対応する形状となっている。また、２箇所の差込口１'は付け爪本体２の指爪３との接着面の略中央部にそれぞれ設けられている。
接着面４及び４'は、上述したように指爪３の付け根部分近傍及び先端部近傍に対応する位置に設けられており、付け爪本体２を指爪３に固定する際は、この２箇所の接着面に粘着剤を塗布することとなる。
付け爪本体２は、まず、指爪３に設けられた２箇所の引っ掛け金具１を付け爪本体２に設けられた差込口１'に差し込み、引っ掛け金具１の水平部材１ａを差込口１'の最深部までスライドさせることによって指爪３に固定される。さらに、付け爪本体２は、接着面４及び接着面４'において塗布された粘着剤によりさらに強固に指爪３に固定されることとなる。したがって、図２（ｃ）に示すように指爪３と付け爪本体２との間に隙間がなくなり、本考案にかかる人工付け爪を装着することが可能となる。
また、人工付け爪を指爪３から取り外す際は、まずリムーバーを接着面４及び４'が接着している部分に塗布し、接着面４及び４'を指爪３から引き離す。次に、２本の引っ掛け金具１を挿入口１'から引き抜くことで人工付け爪を取り外すことができる。
【００１５】
本考案にかかる引っ掛け金具は、図１に示されるＬ字型形状に特化されるものではない。引っ掛け金具１と比較して、引っ掛け金具を差込口に対して、より差し込み易い形態として、例えば、図３（ａ）に示すような引っ掛け金具１の水平部材１ａに対応する部分を指爪３方向に途中で折り曲げた形状としても良い。また、図３（ｂ）に示すように引っ掛け金具１の円柱ポスト１ａに対応する部分の形状を円錐形状としても同様な効果が期待される。
【００１６】
また、図４に示すように、より強固に付け爪本体２を指爪３に固定する方法として差込口１'の引っ掛け金具１の差込口１'の内側をゴム等の被覆材６で被覆してもよい。被覆する部分は、差込口１'の最深部分に相当する部分のみでもよいし（図４（ａ））、差込口１'の内側全体を被覆する形態としてもよい（図４（ｂ））。
差込口１'を被覆することにより引っ掛け金具１との摩擦係数が増加するため、より強固に付け爪本体２を指爪３に固定することが可能となる。
【００１７】
前述したように、人工付け爪を指爪に固定するために用いる接着面は、引っ掛け金具の接着面、指爪の付け根部分近傍の接着面、及び先端部分近傍の接着面のみであるため、人工付け爪の取り外しは簡単容易である。したがって、人工付け爪及び指爪の破損、及び損傷も極端に少なくなる。また、人工付け爪は再使用も可能であり、取替えも可能となり経済的且つ環境的である。
【００１８】
さらに、本考案にかかる人工付け爪によれば、瞬間接着剤を指爪の爪甲全体に塗布する従来技術と比較して皮膚呼吸を完全に遮断してしまうことはない。したがって、指爪に対する負荷を大きく軽減することができる。また、粘着剤を使用した跡が指爪に残りにくく、かつ、リムーバーの大量使用による肌荒れを防ぐことにもなる。
【００１９】
なお、上述した各実施形態は、本考案の好適な実施形態であり、本考案はこれに限定されるものではなく、本考案の要旨を逸脱しない範囲において変更可能である。
【図面の簡単な説明】
【００２０】
【図１】本考案にかかる引っ掛け金具の一例の斜視図である。
【図２】（ａ）は、本考案にかかる人工付け爪を指爪に装着した状態を示す下面図である。（ｂ）は、本考案にかかる人工付け爪のＡ−Ａ方向における側部断面図である。（ｃ）は、本考案にかかる人工付け爪を指爪に装着した状態のＢ−Ｂ方向における正面断面図である。
【図３】本考案にかかる引っ掛け金具の他の一例を説明する図である。
【図４】強固に付け爪本体２を指爪３に拘持するための手段の一例を説明する図である。（ａ）は、差込口１'の最深部分に相当する部分のみを被覆する形態を説明する図である。（ｂ）は、差込口１'の裏側全体を被覆する形態を説明する図である。
【符号の説明】
【００２１】
１          引っ掛け金具
１ａ        円柱ポスト
１ｂ        円柱ポスト
１ｃ        接着面
１'         差込口
２          付け爪本体
３          指爪
４，４'     接着面
５          指
【手続補正３】
【補正対象書類名】図面
【補正対象項目名】全図
【補正方法】変更
【補正の内容】
【図１】
0003136129.tif 000006
【図２】
0003136129.tif 000007
【図３】
0003136129.tif 000008
【図４】
0003136129.tif 000009
【手続補正書】
【提出日】平成19年7月27日(2007.7.27)
【手続補正１】
【補正対象書類名】実用新案登録請求の範囲
【補正対象項目名】請求項１
【補正方法】変更
【補正の内容】
【請求項１】
略円柱状に形成され一方の端部に指爪に接着される第１接着部を有する支持部材、及びポスト部の他方の端部と接合して形成され前記指爪の付け根部分から前記指爪の先端方向に延在する水平部材を有するポスト部材と、
前記指爪の付け根部分近傍に接着される第２接着部、及び前記指爪の先端部分近傍に接着される第３接着部を有する付け爪本体とを備え、
前記付け爪本体は、前記第２接着部及び前記第３接着部の間に形成され前記ポスト部材を差込可能な差込孔を有すること
を特徴とする人工付け爪。